(57)【要約】【課題】  大量の情報を伝達可能な複数枚のシートを折り重ねて封書を作成する方法を提供する。【課題を解決するための手段】  封筒シート１と、内蔵シート２１との所定の情報表示部に案内情報４１を印刷する印刷工程と、同じく所定の情報表示部に通知情報４４を印字する印字工程と、内蔵シート２１の折返し接着部２９を裏面側に折り返す折返し工程と、封筒シート１の表面側の接着部１７と封着部３４及び内蔵シート２１の表面側の封着部に接着剤を塗布する接着剤塗布工程と、内蔵シート２１の裏面側を封筒シート１の表面側に重ねて、折返し接着部２９と接着部１７とを接着する接着工程と、封筒シート１と内蔵シート２１を接着縁部から巻き込むように各折り部で折り重ねたうえ、接着剤塗布工程で塗布した接着剤により重なり合った封着部同士を接着するとともに、封緘部１３の封着部３４を、一方の封筒部の側縁に重ね合わせて封緘する封緘工程とを、施すものである。【選択図】    図１
2006062130.tif 000002
【特許請求の範囲】
【請求項１】
複数の互いに平行な折り部によって区画された複数の情報表示部を表裏面に有し、一側縁には封緘部を有し、この封緘部は前記各折り部と平行な折り部とこの折り部に対して対称的に設けた開封部を備え、外側の開封部の外側が封着部となり、内側の開封部が情報表示部との境界に位置しており、上下二縁にも開封部を境に封着部を形成し、表面側における前記封緘部と反対側の側縁には接着部を有し、裏面側における前記封緘部側に位置する二つの情報表示部を相対的に表封筒部と裏封筒部とした１枚の封筒シートと、前記封筒シートの折り部に対応するよう互いに平行に設けた複数の折り部によって区画された複数の情報表示部を表裏面に有し、上下二縁には前記封筒シートの開封部に対応する開封部を境に封着部を形成し、一側縁には折返し接着部を有し、この折返し接着部を除いた長さが前記封筒シートの封緘部を除いた長さと同一である１枚の内蔵シートとからなることを特徴とする封書用シートの組。
【請求項２】
複数の互いに平行な折り部によって区画された複数の情報表示部を表裏面に有し、一側縁には封緘部を有し、この封緘部は前記各折り部と平行な折り部とこの折り部に対して対称的に設けた開封部を備え、外側の開封部の外側が封着部となり、内側の開封部が情報表示部との境界に位置しており、上下二縁にも開封部を境に封着部を形成し、表面側における前記封緘部と反対側の側縁には接着部を有し、裏面側における前記封緘部側に位置する二つの情報表示部を相対的に表封筒部と裏封筒部とした１枚の封筒シートと、前記封筒シートの折り部に対応するよう互いに平行に設けた複数の折り部によって区画された複数の情報表示部を表裏面に有し、上下二縁には前記封筒シートの開封部に対応する開封部を境に封着部を形成し、一側縁には折返し接着部を有し、最上位に重ねられるシートを除いて表面側の他側縁には接着部を有し、前記折返し接着部を除いた長さが前記封筒シートの封緘部を除いた長さと同一である複数枚の内蔵シートからなることを特徴とする封書用シートの組。
【請求項３】
請求項１記載の封書用シートの組を用いて封書を作成する方法であって、封筒シートと内蔵シートの所定の情報表示部に情報を印刷する印刷工程と、同じく所定の情報表示部に情報を印字する印字工程と、前記内蔵シートの折返し接着部を裏面側に折り返す折返し工程と、接着剤の性質に応じて前記折返し工程に続いて、あるいは前記印刷工程に先立って施され、前記封筒シートの表面側の接着部と封着部とに接着剤を塗布する一方、前記内蔵シートの表面側の封着部にも接着剤を塗布する接着剤塗布工程と、前記内蔵シートの裏面側を各折り部、各開封部、折返し接着部が前記封筒シートの各折り部、各開封部、接着部と対応するように前記封筒シートの表面側に重ねて、前記接着剤塗布工程で塗布した接着剤により折返し接着部と接着部とを接着する接着工程と、一側縁で接着した封筒シートと内蔵シートを接着した縁部から巻き込むように各折り部で折り重ねたうえ、前記接着剤塗布工程で塗布した接着剤により重なり合った封着部同士を接着するとともに、封緘部をその折り部から折って、一方の封筒部の側縁に封着部を重ね合わせて封緘する封緘工程とを、施すことを特徴とする封書の作成方法。
【請求項４】
請求項２記載の封書用シートの組を用いて封書を作成する方法であって、封筒シートと各内蔵シートの所定の情報表示部に情報を印刷する印刷工程と、同じく所定の情報表示部に情報を印字する印字工程と、前記各内蔵シートの各折返し接着部を裏面側に折り返す折返し工程と、接着剤の性質に応じて前記折返し工程に続いて、あるいは前記印刷工程に先立って施され、前記封筒シートの表面側の接着部と封着部とに接着剤を塗布する一方、前記各内蔵シートの接着部と封着部にも接着剤を塗布する接着剤塗布工程と、前記内蔵シートの一枚の裏面側を各折り部、各開封部、折返し接着部が前記封筒シートの各折り部、各開封部、接着部と対応するように前記封筒シートの表面側に重ねて接着剤塗布工程で塗布した接着剤により折返し接着部と接着部とを接着する接着工程と、一縁で接着した内蔵シートの表面側に他の内蔵シートの裏面側を、他縁側の接着部に折り返し接着部が対応するように順次重ねて接着剤塗布工程で塗布した接着剤により接着する内蔵シート重ね合わせ接着工程と、接着した封筒シートと複数枚の内蔵シートを封筒シートの接着した縁部から巻き込むように各折り部で折り重ねたうえ、接着剤塗布工程で塗布した接着剤により重なり合った封着部同士を接着するとともに、封緘部をその折り部から折って、一方の封筒部の側縁に封着部を重ね合わせて封緘する封緘工程とを、施すことを特徴とする封書の作成方法。
【発明の詳細な説明】
【技術分野】
【０００１】
本発明は、複数枚のシートからなる封書用シートの組及びこの封書用シートの組を用いた封書の作成方法に関し、特に、重ね合わせた複数枚のシートを巻き込むように折り重ねて封緘し、封書となす作成方法に関する。
【背景技術】
【０００２】
従来から、種々の構成の封書用シートの組が知られており、これらの封書用シートの組を用いて封書を作成する方法も種々知られているが、シートを巻き込むように折り重ねて封書を作成する場合は、シートの組ではなく、１枚のシートを用いるのが一般的である。このように１枚のシートを用いるのは、複数枚のシートを巻き込むように折り重ねて作成した封書は、開封後にシートの表裏面に表示された情報を見るには、長いシートを何回も捲り上げなければならず、煩雑なためである。
【特許文献１】特開平２００３−２５１９６６号公報
【発明の開示】
【発明が解決しようとする課題】
【０００３】
ところが、１枚のシートでは、表示する情報量が限られたものになってしまう一方、長いシートを使うにも作成装置との関係で限界がある。本発明は、このような事情に鑑みてなされたもので、大量の情報を伝達可能な複数枚のシートからなる封書用シートの組、及びこの封書用シートの組を折り重ねて封書を作成する方法を提供することを目的とする。
【課題を解決するための手段】
【０００４】
この目的を達成するため本発明の請求項１に係る封書用シートの組は、１枚の封筒シートと１枚の内蔵シートとからなり、封筒シートは、複数の互いに平行な折り部によって区画された複数の情報表示部を表裏面に有し、一側縁には封緘部を有し、この封緘部は前記各折り部と平行な折り部とこの折り部に対して対称的に設けた開封部を備え、外側の開封部の外側が封着部となり、内側の開封部が情報表示部との境界に位置しており、上下二縁にも開封部を境に封着部を形成し、表面側における前記封緘部と反対側の側縁には接着部を有し、裏面側における前記封緘部側に位置する二つの情報表示部を相対的に表封筒部と裏封筒部としてなり、内蔵シートは、前記封筒シートの折り部に対応するよう互いに平行に設けた複数の折り部によって区画された複数の情報表示部を表裏面に有し、上下二縁には前記封筒シートの開封部に対応する開封部を境に封着部を形成し、一側縁には折返し接着部を有し、この折返し接着部を除いた長さが前記封筒シートの封緘部を除いた長さと同一である。
【０００５】
同じく上述の目的を達成するために本発明の請求項２に係る封書用シートの組は、１枚の封筒シート複数枚の内蔵シートとからなり、封筒シートは、複数の互いに平行な折り部によって区画された複数の情報表示部を表裏面に有し、一側縁には封緘部を有し、この封緘部は前記各折り部と平行な折り部とこの折り部に対して対称的に設けた開封部を備え、外側の開封部の外側が封着部となり、内側の開封部が情報表示部との境界に位置しており、上下二縁にも開封部を境に封着部を形成し、表面側における前記封緘部と反対側の側縁には接着部を有し、裏面側における前記封緘部側に位置する二つの情報表示部を相対的に表封筒部と裏封筒部としてなり、複数の内蔵シートは、前記封筒シートの折り部に対応するよう互いに平行に設けた複数の折り部によって区画された複数の情報表示部を表裏面に有し、上下二縁には前記封筒シートの開封部に対応する開封部を境に封着部を形成し、一側縁には折返し接着部を有し、最上位に重ねられるシートを除いて表面側の他側縁には接着部を有し、前記折返し接着部を除いた長さが前記封筒シートの封緘部を除いた長さと同一である。
【０００６】
同じく上述の目的を達成するために、本発明の請求項３に係る封書の作成方法は、上記請求項１記載の１枚の封筒シートと、１枚の内蔵シートからなる封書用シートの組を用いるもので、これら封筒シートと内蔵シートとに、前記各シートの所定の情報表示部に情報を印刷する印刷工程と、同じく所定の情報表示部に情報を印字する印字工程と、前記内蔵シートの折返し接着部を裏面側に折り返す折返し工程と、接着剤の性質に応じて前記折返し工程に続いて、あるいは前記印刷工程に先立って施され、前記封筒シートの表面側の接着部と封着部とに接着剤を塗布する一方、前記内蔵シートの表面側の封着部にも接着剤を塗布する接着剤塗布工程と、前記内蔵シートの裏面側を各折り部、各開封部、折返し接着部が前記封筒シートの各折り部、各開封部、接着部と対応するように前記封筒シートの表面側に重ねて、前記接着剤塗布工程で塗布した接着剤により折返し接着部と接着部とを接着する接着工程と、一側縁で接着した封筒シートと内蔵シートを接着した縁部から巻き込むように各折り部で折り重ねたうえ、前記接着剤塗布工程で塗布した接着剤により重なり合った封着部同士を接着するとともに、封緘部をその折り部から折って、一方の封筒部の側縁に封着部を重ね合わせて封緘する封緘工程とを、施すものである。
【０００７】
同じく上述の目的を達成するために、本発明の請求項４に係る封書の作成方法は、上記請求項２記載の１枚の封筒シートと、複数枚の内蔵シートからなる封書用シートの組を用いるもので、この封筒シートと複数枚の内蔵シートとに、前記各シートの所定の情報表示部に情報を印刷する印刷工程と、同じく所定の情報表示部に情報を印字する印字工程と、前記複数の内蔵シートの各折返し接着部を裏面側に折り返す折返し工程と、接着剤の性質に応じて前記折返し工程に続いて、あるいは前記印刷工程に先立って施され、前記封筒シートの表面側の接着部と封着部とに接着剤を塗布する一方、前記各内蔵シートの接着部と封着部にも接着剤を塗布する接着剤塗布工程と、前記内蔵シートの一枚の裏面側を各折り部、各開封部、折返し接着部が前記封筒シートの各折り部、各開封部、接着部と対応するように前記封筒シートの表面側に重ねて接着剤塗布工程で塗布した接着剤により折返し接着部と接着部とを接着する接着工程と、一縁で接着した内蔵シートの表面側に他の内蔵シートの裏面側を、他縁側の接着部に折り返し接着部が対応するように順次重ねて接着剤塗布工程で塗布した接着剤により接着する内蔵シート重ね合わせ接着工程と、接着した封筒シートと複数枚の内蔵シートを封筒シートの接着した縁部から巻き込むように各折り部で折り重ねたうえ、接着剤塗布工程で塗布した接着剤により重なり合った封着部同士を接着するとともに、封緘部をその折り部から折って、一方の封筒部の側縁に封着部を重ね合わせて封緘する封緘工程とを、施すものである。
【発明の効果】
【０００８】
本発明の請求項１に係る封書用シートの組によれば、２枚のシートを巻き込むように折り重ねて封書を作成するための、各１枚の封筒シートと内蔵シートとして最適であり、大量の情報を伝達可能である、という効果を奏する。
【０００９】
本発明の請求項２に係る封書用シートの組によれば、３枚以上のシートを巻き込むように折り重ねて封書を作成するための、１枚の封筒シートと複数枚の内蔵シートとして最適であり、大量の情報を伝達可能である、という効果を奏する。
【００１０】
本発明の請求項３に係る封書の作成方法によれば、特別な装置を使用することなく、一側縁を接着した２枚のシートを巻き込むように折り重ねてなる封書を作成することができるとともに、大量の情報を伝達することが可能となり、また、作成した封書を開封すると１枚のシート状に展開できるので、表示した情報を見ることが容易である、という効果を奏する。
【００１１】
本発明の請求項４に係る封書の作成方法によれば、特別な装置を使用することなく、側縁を接着縁が交互に反対側に位置するよう接着した３枚以上のシートを、巻き込むように折り重ねてなる封書を作成することができるとともに、大量の情報を伝達することが可能となり、また、作成した封書を開封すると１枚のシート状に展開できるので、表示した情報を見ることが容易である、という効果を奏する。
【発明を実施するための最良の形態】
【００１２】
以下、本発明の好適な実施形態について添付図面に基づき説明する。ここにおいて、図１〜図６は第１実施形態を示し、図１は封書用シートの組である封筒シートと内蔵シートの表面側を示す平面図、図２は封筒シートの裏面側を示す平面図、図３は封筒シートと内蔵シートを重ね合わせて一縁を接着した状態を示す概略的な端面図、図４は折り重ねて封緘して作成した封書を示す概略的な端面図、図５は封書の裏封筒部側を示す平面図、図６は開封した封書の展開状態を示す平面図である。また、図７及び図８は第２実施形態を示し、図７は内蔵シートの平面図、図８は封筒シートと３枚の内蔵シートを重ね合わせて一縁を接着した状態を示す概略的な端面図である。
【００１３】
まず、１枚の封筒シートと、１枚の内蔵シートからなる封書用シートの組を用いて封書を作成する第１実施形態について説明する。図１及び図２に示すように、封筒シート１は、３本の互いに平行な折り部２，３，４によって区画された４つの情報表示部５，６，７，８，９，１０，１１，１２を表裏面に有している。この封筒シート１は、一側縁には封緘部１３を有し、この封緘部１３は前記各折り部２，３，４と平行な折り部たる折り用ミシン目１４と、この折り用ミシン目１４に対して対称的に設けた開封部たる開封ミシン目１５，１６を備え、一方の開封ミシン目１５が情報表示部８，１２との境界に位置し、他方の開封ミシン目１６の外側は封着部３４となっている。
【００１４】
また、封筒シート１は、封緘部１３と反対側の側縁には表面側に接着部１７を有し、上下二縁にも開封部たる切り用ミシン目１８，１９を形成し、その外側を封着部としている。さらに封筒シート１は、裏面側の前記封緘部１３側に位置する２つの情報表示部１１，１２のうち、情報表示部１２を宛名情報を表示する表封筒部とし、情報表示部１１を差出人情報を表示する裏封筒部としている。そして、図示していないが、当初封筒シート１は各折り部２，３，４，１４の伸びる方向に折り兼切り用ミシン目を介して連続する連続状態にあり、この連続用紙をトラクタを利用して移送するために、両側縁には移送孔を設けたマージナル部２０，２０を設けている。
【００１５】
図１に示すように、内蔵シート２１は、封筒シート１の各折り部２，３，４に対応するよう互いに平行に設けた３本の折り部２２，２３，２４によって区画された４つの情報表示部２５，２６，２７，２８，３５，３６，３７，３８を表裏面に有している（裏面については図６参照）。また、内蔵シート２１は、一側縁には折返し接着部２９を有し、上下二縁には前記封筒シート１の開封ミシン目１８，１９に対応する開封部たる開封ミシン目３０，３１を形成し、その外側を封着部としている。
【００１６】
そして、内蔵シート２１の前記折返し接着部２９を除いた長さが、前記封筒シート１の封緘部１３を除いた長さと同一である。さらに、図示していないが、当初内蔵シート２１は、封筒シート１と同様に、各折り部２２，２３，２４の伸びる方向に折り兼切り用ミシン目を介して連続する連続状態にあり、この連続用紙をトラクタを利用して移送するために、両側縁には移送孔を設けたマージナル部３２，３２を設けている。
【００１７】
続いて、上述した封筒シート１と、内蔵シート２１とを用いた封書の作成方法を説明する。まず、第１工程として印刷工程を施す。すなわち、前記各シート１，２１を公知の印刷装置にかけて、各宛名人に共通する案内情報４１、宣伝情報４２、差出人情報４３である固定情報をあらかじめ決めておいた情報表示部８，９，１０，１１，２８に印刷する（図１及び図２参照）。なお、前記差出人情報４３は裏封筒部である情報表示部１１に印刷する。
【００１８】
次に、第２工程として印字工程を施す。すなわち、前記各シート１，２１を公知のプリンタにかけて、各宛名人に固有の通知情報４４、宛名人情報４５である可変情報をあらかじめ決めておいた情報表示部５，６，７，１２，２５，２６，２７，３５，３６，３７，３８に印字する（図１、図２、図６参照）。なお、前記宛名人情報４５は表封筒部である情報表示部１２に印字する。
【００１９】
これら印刷工程及び印字工程においては、封筒シート１と内蔵シート２１は、移送する際にマージナル部２０，３２が必要なプリンタを使用する場合には、連続状態にあることが必要となるが、プリンタの構造によってはマージナル部２０，３２を除去した単位状態であってもよい。連続状態にある場合には、印字工程が終了した後に、マージナル部２０，３２を破断除去するとともに、単位状態に切断する。
【００２０】
次に、第３工程として、内蔵シート２１を公知の折り装置にかけて、折返し接着部２９を裏面側に折り返す折返し工程を施す。そして、印字した通知情報４４と宛名人情報４５との関係で特定の封筒シート１と特定の内蔵シート２１とを組み合わせる必要がある場合には、これら特定の封筒シート１と内蔵シート２１同士を組み合わせる丁合工程を施す。
【００２１】
次に、第４工程として接着剤塗布工程を施す。すなわち、封筒シート１の表面側の接着部１７と封着部３４及び開封ミシン目１８，１９の外側の封着部とに接着剤３９を塗布する一方、内蔵シート２１の表面側の開封ミシン目３０，３１の外側の封着部にも接着剤３９を塗布する。この接着剤塗布工程は、公知の接着剤塗布装置を用いて行えばよい。
【００２２】
次に第５工程として接着工程を施す。すなわち、内蔵シート２１の裏面側を、その各折り部２２，２３，２４、各開封ミシン目３０，３１、折返し接着部２９が、封筒シート１の各折り部２．３．４、各開封ミシン目１８，１９、接着部１７と対応するように、前記封筒シート１の表面側に重ねて接着剤塗布工程で塗布した接着剤３９により、前記封筒シート１の接着部１７と前記内蔵シート２１の折返し接着部２９とを接着する（図３参照）。この状態で、前記封筒シート１の封緘部１３が、重ね合わせて接着した内蔵シート２１の一側縁から突出し、開封ミシン目１５は、前記内蔵シート２１の側縁よりも外側に位置することになる。
【００２３】
次に、第６工程として封緘工程を施す。すなわち、図３状態にある、重ね合わせて接着した封筒シート１と内蔵シート２１を、封緘部１３とは反対側の側縁である折返し接着部２９と接着部１７側から巻き込むように各折り部２，２２，３，２３，４，２４で折り重ねて、各開封ミシン目３０，３１の外側の封着部を接着したうえ、封緘部１３を折り用ミシン目１４で折り返し、この封緘部１３から離れて位置する一方の封筒部である裏封筒部たる情報表示部１１の側縁に封着部３４を接着して封緘し、封書３３とする（図４，図５参照）。
【００２４】
以上のようにして作成した封書３３は、通常の封書と同様に投函して使用可能である。この封書３３を受領した宛名人は、各開封ミシン目１８，１９，３０，３１，１５，１６を破断すると、封書３３を開封可能となる。開封した封書３３は、図６に示すように、１枚のシートのように展開可能となる。
【００２５】
続いて、１枚の封筒シートと、複数枚、例えば３枚の内蔵シートからなる封書用シートの組を用いて封書を作成する第２実施形態について説明する。本実施形態で使用する封筒シート１及び最上位に重ね合わせる内蔵シート５１ａの構成は、上述した第１実施形態の封筒シート１及び内蔵シート２１と同一であるから、その説明は省略し、他の内蔵シート５１ｂ，５１ｃの構成について説明する。ここで、前記各内蔵シート５１ｂ，５１ｃは、同一構成なので、内蔵シート５１ｃについてのみ説明する。
【００２６】
図７に示すように、内蔵シート５１ｃの構成で、上述した内蔵シート２１と相違するのは、表面側における折返し接着部５２とは反対側の側縁に、接着部５３を設けた点だけである。この接着部５３は、上述した封筒シート１の接着部１７と同一で、重ね合わせた他の内蔵シート５１ａ，５１ｂの折返し接着部５２を接着するためのものである。なお、図７中、５４，５５，５６は折り部、５７，５８は開封ミシン目であり、その外側は封着部となっている。
【００２７】
したがって、３枚の内蔵シート５１ａ，５１ｂ，５１ｃと封筒シート１を用いた封書の作成方法において、上述した１枚の内蔵シート２１と封筒シート１を用いた場合と相違するのは、接着工程において、１枚目の内蔵シート５１ｃを封筒シート１に重ね合わせて接着剤５９で接着した後、２枚目の内蔵シート５１ｂを重ね合わせて接着する時に、１枚目の内蔵シート５１ｃの接着部５３に、２枚目の内蔵シート５１ｂの裏面側に折り返した折り返し接着部５２を接着剤５９で接着し、２枚目の内蔵シート５１ｂに、３枚目の内蔵シート５１ａを重ね合わせて接着する時に、２枚目の内蔵シート５１ｂの接着部５３に、３枚目の内蔵シート５１ａの裏面側に折り返した折り返し接着部５２を接着剤５９で接着することであり、側縁を交互に反対にして接着するところにある。他の工程においては、異なるところはないので、その説明は省略する。
【００２８】
このように、各内蔵シート５１ａ，５１ｂ，５１ｃは、側縁を交互に反対にして接着するので、各内蔵シート５１ｂ，５１ｃにおいては折返し接着部５２と接着部５３を反対側に設ける必要があるが、これら両部５２，５３は共用可能であるから、前記各内蔵シート５１ｂ，５１ｃが同一構成であっても、作成工程に支障を生じることはない。
【００２９】
なお、本発明は上述した各実施形態に限定されるものではなく、例えば、使用する封筒シート１と内蔵シート２１，５１ａ，５１ｂ，５１ｃの各折り部２，３，４，２２，２３，２４，５４，５５，５６は、折り線を印刷して形成してもよい。また、各折り部２，３，４，２２，２３，２４，５４，５５，５６が折り線のような印刷表示でない場合には、各情報表示部５，６，７，８，９，１０，１１，１２，２５，２６，２７，２８，３５，３６，３７，３８に跨って情報を印刷、印字してもよい。さらに、接着剤３９，５９は、通常状態では接着せず、所定以上の圧を加えると接着可能となる公知の感圧性接着剤をあらかじめ設けておき、圧を加えることで接着するよう構成すれば、接着剤塗布工程を印刷工程や、印字工程の前に施すこともできる。
【図面の簡単な説明】
【００３０】
【図１】第１実施形態の封書用シートの組である封筒シートと内蔵シートの表面側を示す平面図。
【図２】同じく封筒シートの裏面側を示す平面図。
【図３】同じく封筒シートと内蔵シートを重ね合わせて一縁を接着した状態を示す概略的な端面図。
【図４】同じく折り重ねて封緘して作成した封書を示す概略的な端面図。
【図５】同じく封書の裏封筒側を示す平面図。
【図６】同じく封書を開封して展開状態とした平面図。
【図７】第２実施形態の内蔵シートの表面側を示す平面図。
【図８】同じく封筒シートと３枚の内蔵シートを重ね合わせて一縁を接着した状態を示す概略的な端面図。
【符号の説明】
【００３１】
１      封筒シート
２，３，４，２２，２３，２４      折り部
５，６，７，８，９，１０，１１，１２，２５，２６，２７，２８，３５，３６，３７，３８      情報表示部
１３      封緘部
１４      折り用ミシン目
１５，１６，１８，１９，３０，３１，５７，５８      開封ミシン目
１７，５３      接着部
２１，５１ａ，５１ｂ，５１ｃ      内蔵シート
２９，５２      折返し接着部
３４      封着部
３９，５９      接着剤
４１      案内情報
４２      宣伝情報
４３      差出人情報
４４      通知情報
４５      宛名人情報
【図１】
2006062130.tif 000003
【図２】
2006062130.tif 000004
【図３】
2006062130.tif 000005
【図４】
2006062130.tif 000006
【図５】
2006062130.tif 000007
【図６】
2006062130.tif 000008
【図７】
2006062130.tif 000009
【図８】
2006062130.tif 000010